(57)【特許請求の範囲】
【請求項１】
送風経路とモータ室とを仕切るための板金製の仕切り板に出力軸挿通孔を穿孔すると共に該出力軸挿通孔を囲むように仕切り板の表面に板金製のファンケーシングを突設し且つ仕切り板の裏面にモータ取付け部を設けて仕切り板付きファンケーシングを構成し、この仕切り板付きファンケーシングの裏面側に配置したモータを仕切り板のモータ取付け部に取付け、モータの出力軸を仕切り板の出力軸挿通孔に挿通し、出力軸にファンランナを取付けて仕切り板付きファン装置を形成し、該仕切り板付きファン装置を本体ケース内に配置して仕切り板を本体ケースに固着することで本体ケース内を仕切り板により送風経路の一部を構成する送風捕捉室とモータ室とに仕切り、仕切り板付きファン装置に設けたモータをモータ室に配置すると共に仕切り板付きファン装置に設けたファンケーシング及びファンランナを送風捕捉室に配置して成ることを特徴とするオイルミスト捕捉装置。
【発明の詳細な説明】
【０００１】
【発明の属する技術分野】
本発明は、金属加工を行う工作機械から発生するオイルミストを含んだ排気をフィルターに通すことで、オイルミストを含んだ排気中からオイルミストを捕捉するようにしたオイルミスト捕捉装置に関するものである。
【０００２】
【従来の技術】
従来の市販のファン装置はアルミ鋳物製のファンケーシングにモータを取付け、モータの出力軸にファンランナを取付けて構成してある。
【０００３】
上記のような市販のファン装置は、アルミ鋳物製のファンケーシングにモータを取付けるため、モータ重量に耐えうる強度が必要であり、また、鋳物加工上肉厚を薄くすることが不可能であり、必然的に形状が大きくなり、軽量化が不可能となり、また、アルミ鋳物製のファンケーシングは鋳造工程から始まり、機械加工工程まで数多くの製造工程が必要であって、製造コストが高くなり、生産性も低いという問題がある。
【０００４】
しかも、上記のような市販のファン装置は一般に送風経路内に配置して使用されるが、金属加工を行う工作機械から発生するオイルミストを含んだ排気をフィルターに通すことで、オイルミストを含んだ排気中からオイルミストを捕捉するようにしたオイルミスト捕捉装置などに用いる場合には、オイルミストを含んだ排気を流す送風経路とモータを配置すると共に電気配線を行うモータ室とを仕切る必要がある。このため、オイルミスト捕捉装置などに従来のファン装置を組み込む場合、図１１に示すように、オイルミスト捕捉装置の本体ケース１５に形成するオイルミストを含んだ排気が流れる送風経路１とモータ室２とを仕切るための仕切板を図１１のようにＵ字状の切欠部３０を設けた仕切り板本体３１と補助仕切り板部３２とに２分割し、仕切り板本体３１のＵ字状の切欠部３０に市販のファン装置３４の片側半周部をはめ込み、その後、補助仕切り板部３２の半円状孔３３にファン装置３４の残りの片側半周部をはめ込み、補助仕切り板部３２を仕切り板本体３１に固着具により取り付けている。このため仕切り板を仕切り板本体３１と補助仕切り板部３２とに２分割する必要があり、更に、市販のファン装置３４に対応してＵ字状の切欠部３０、半円状孔３３を加工する必要があり、また、オイルミスト捕捉装置内へのファン装置の組み込みが面倒であるという問題があった。
【０００５】
【発明が解決しようとする課題】
本発明は上記の従来例の問題点に鑑みて発明したものであって、軽量、小型化が可能で、送風経路とモータ室とを仕切る処に使用するに当たり、仕切り板付きファン装置の組み込みが簡単にできるオイルミスト捕捉装置を提供することを課題とするものである。
【０００６】
【課題を解決するための手段】
上記課題を解決するために本発明に係るオイルミスト捕捉装置は、送風経路１とモータ室２とを仕切るための板金製の仕切り板３に出力軸挿通孔４を穿孔すると共に該出力軸挿通孔４を囲むように仕切り板３の表面に板金製のファンケーシング５を突設し且つ仕切り板３の裏面にモータ取付け部６を設けて仕切り板３付きファンケーシング５を構成し、この仕切り板３付きファンケーシング５の裏面側に配置したモータ７を仕切り板３のモータ取付け部６に取付け、モータ７の出力軸８を仕切り板３の出力軸挿通孔４に挿通し、出力軸８にファンランナ９を取付けて仕切り板付きファン装置を形成し、該仕切り板付きファン装置を本体ケース１５内に配置して仕切り板３を本体ケース１５に固着することで本体ケース１５内を仕切り板３により送風経路１の一部を構成する送風捕捉室１９とモータ室２とに仕切り、仕切り板付きファン装置に設けたモータ７をモータ室２に配置すると共に仕切り板付きファン装置に設けたファンケーシング５及びファンランナ９を送風捕捉室１９に配置して成ることを特徴とするものである。このような構成とすることで、板金製の仕切り板３に板金製のファンケーシング５を突設することで、板金製という薄肉のものでありながらモータ７重量に耐え得る剛性を確保できて、軽量化、小型化が図れることになる。また、モータ７を取付ける部材が本体ケース１５内を送風捕捉室１９とモータ室２とに仕切るための仕切り板３を兼用することになり、部材の簡略化が図れ、送風経路１の一部を構成する送風捕捉室１９とモータ室２とを仕切る処に使用するに当たり、組み込みが簡単にできることになる。
【０００７】
【発明の実施の形態】
以下、本発明を添付図面に示す実施形態に基づいて説明する。
【０００８】
本発明の仕切り板付きファン装置は図１、図２に示すようなもので、板金製の仕切り板３付きファンケーシング５にモータ７を取付けると共にモータ７の出力軸８にファンランナ９を取付けて構成してある。
【０００９】
仕切り板３付きファンケーシング５は板金製の仕切り板３の仕切り板部に出力軸挿通孔４を穿孔し、この出力軸挿通孔４を囲むように仕切り板３の表面に板金製のファンケーシング５を突設して取付け、仕切り板３の裏面にモータ取付け部６を形成して構成してある。ファンケーシング５は突出先端面部に入口１０が形成してあり、ファンケーシング５の側周面部の一部が側方に突出していて該側方突出部１１の先端が出口１２となっている。入口１０には板金製の吸い込みベルマウス１３が取付けてある。仕切り板３は主体が縦片３ａと横片３ｂとよりなるＬ字状をしていて縦片３ａが仕切り板部を構成している。また、縦片３ａと横片３ｂとの各先端には固定片３ｃが設けてある。ここで、仕切り板３の裏面である縦片３ａ又は横片３ｂのいずれかの裏面がモータ取付け部６となる。
【００１０】
上記のような構成の仕切り板３付きファンケーシング５の裏面にモータ７を配置し、モータ７の出力軸８を出力軸挿通孔４に通し、モータ７を仕切り板３の裏面に取付けるのであるが、この場合、モータ７にフランジ７ａが一体に設けてあるものの場合には図３のように縦片３ａの裏面にモータ７のフランジ７ａをねじのような固着具により取付けるものであり（このものにおいては縦片３ａの裏面がモータ取付け部６を構成する）、また、モータ７に脚部７ｂが設けてあるものの場合には図５のように脚部７ｂを横片３ｂの裏面（図５においては上面）にねじのような固着具により取付けるものであり（このものにおいては横片３ｂの裏面がモータ取付け部６を構成する）。
【００１１】
上記のような仕切り板付きファン装置は金属加工を行う工作機械から発生するオイルミストを捕捉するためのオイルミスト捕捉装置に使用されるものである。
【００１２】
金属加工を行う工作機械から発生するオイルミストを捕捉するためのオイルミスト捕捉装置は図３、図４に示すようなものであり、本体ケース１５内は複数の室に区切ってあり、添付図面に示す実施形態においては仕切り壁１６により前室１７と後室１８とに仕切ってあり、前室１７内に上記仕切り板付きファン装置を配設して仕切り板３の固定片３ｃを本体ケース１５に固着することで、仕切り板３により前室１７内を送風経路１の一部を構成する送風捕捉室１９とモータ室２とに仕切っており、上記のように仕切り板３により前室１７を２つに仕切るように仕切り板付きファン装置に取付けることで、仕切り板付きファン装置に設けたモータ７がモータ室２内に配置されるとともにファンケーシング５及びファンケーシング５内に位置するファンランナ９が送風経路１の一部を構成する送風捕捉室１９内に配置されることになる。
【００１３】
本体ケース１５には送風捕捉室１９に面する部分に吸い込み口２０が設けてある。また、ファンケーシング５の側周面部に設けた側方突出部１１の先端の出口１２部分が仕切り壁１６に設けた孔に連通するように取付けてある。また、ファンケーシング５の突出先端面部の入口１０と該入口１０に対向する本体ケース１５の壁部との間に円筒状をしたフィルタ２１が取付けてある。本体ケース１５の壁部のフィルタ２１の取付け部分には覗き窓２２が設けてある。後室１８内には別のフィルタ２３が設けてあり、本体ケース１５の壁部には排出口２４が設けてあり、排出口２４はフィルタ２３の下流側に位置している。したがって、本実施形態においては、吸い込み口２０、送風捕捉室１９、後室１８、排出口２４により一連の送風経路１が構成してある。
【００１４】
しかして、工作機械により金属加工を行う場合、切削油を使用する際に切粉と共にオイルミストが発生し、また、切削油を使用しない金属加工においても切粉と共に金属に付着する油がオイルミストとなって発生するが、モータ７を駆動してファンランナ９を回転することで、上記工作機械により金属加工を行う際に発生するオイルミストを含んだ排気がオイルミスト捕捉装置の吸い込み口２０から導入され、送風捕捉室１９の壁部に切粉及びオイルミストを含んだ排気が衝突し、壁部への衝突により排気から切粉やオイルミストが分離され、更に、円筒状のフィルタ２１を通過することで、円筒状のフィルタ２１で切粉やオイルミストが更に捕捉される。排気は更にファンケーシング５の入口１０に設けた吸い込みベルマウス１３部分からファンケーシング５内に入り、ファンケーシング５の側方突出部１１の先端の出口１２から後室１８内に入り、更に、フィルタ２３によりオイルミストが捕捉され、排出口２４から排出されるものである。上記のようにしてオイルミストを含んだ排気を清浄にするのであるが、仕切り板３により前室１７内を送風経路１の一部を構成する送風捕捉室１９とモータ室２とに仕切ってあるので、モータ７やモータ７に接続する配線が高温の切粉やオイルミストを含む排気と完全に分離してあって、安全を確保してある。
【００１５】
ここで、図６、図７に示すように、ファンケーシング５の突出先端部の外周部の一部には山形又は円弧状をした板金製のバッフル板１４を設け、吸い込み口２０をバッフル板１４に対向するように設けることで、吸い込み口２０から吸い込まれた排気がすぐに円筒状のフィルタ２１に衝突することがなく、いったんバッフル板１４に衝突して両側に流れ、両側に流れた排気が更に両側の壁部（送風捕捉室１９の壁部）に衝突し、その後に円筒状のフィルタ２１に導入されるので、バッフル板１４、壁部への衝突で、排気中の切粉やオイルミストが効果的に排気から分離されるものである。
【００１６】
また、図８のように吸い込み口２０にガイドベーン２５を設けて、排気にファンランナ９の回転方向（図８において矢印イで示す）と同方向の旋回流（図８において矢印ロで示す）を送風捕捉室１９内において与えるようにしてもよい。このようにすると、風量を増して送風能力を増すことができるとともに、旋回流が送風捕捉室１９の壁部に衝突することによるバッフル効果と旋回流による遠心力による分離効果とで排気中に含まれている切粉やオイルミストを効果的に分離することがきるものである。
【００１７】
また、図９のように吸い込み口２０内に旋回ガイド２６を設けて、吸い込み口２０の中心線を中心にして旋回する旋回流を発生させるようにしてもよい。このように吸い込み口２０の中心線（つまり円筒状のフィルタ２１の軸芯と直交する線）を中心にして旋回する旋回流（図９において矢印ハで示す）を形成することで、上記旋回流により旋回流が送風捕捉室１９の壁部に衝突することによるバッフル効果と旋回流による遠心力による分離効果とで排気中に含まれている切粉やオイルミストとが図９の矢印ニに示すように効果的に分離することになる。
【００１８】
円筒状のフィルタ２１を取付けるには種々の方法が採用できるが、図１０のようにファンケーシング５の入口１０にはめ込んで取付ける吸い込みベルマウス１３の外周端部にはめ込み筒部２９を設け、このはめ込み筒部２９に円筒状のフィルタ２１の一端部の外周端部又は内周端部をはめ込んで支持するようにし、円筒状のフィルタ２１の他端部の外周端部又は内周端部を本体ケース１５の壁部に設けた支持片２７にはめ込み支持するようにしてもよく、この場合には簡単な構成でフィルタ２１を支持できるものである。ここで、吸い込みベルマウス１３の開口部に金網部２８を一体に形成してもよく、金網部２８を設けることで、金網部２８に排気が衝突して切粉やオイルミストを分離することができるものである。
【００１９】
【発明の効果】
上記のように本発明の請求項１記載の発明にあっては、送風経路とモータ室とを仕切るための板金製の仕切り板に出力軸挿通孔を穿孔すると共に該出力軸挿通孔を囲むように仕切り板の表面に板金製のファンケーシングを突設し且つ仕切り板の裏面にモータ取付け部を設けて仕切り板付きファンケーシングを構成し、この仕切り板付きファンケーシングの裏面側に配置したモータを仕切り板のモータ取付け部に取付け、モータの出力軸を仕切り板の出力軸挿通孔に挿通し、出力軸にファンランナを取付けて仕切り板付きファン装置を形成し、該仕切り板付きファン装置を本体ケース内に配置して仕切り板を本体ケースに固着することで本体ケース内を仕切り板により送風経路の一部を構成する送風捕捉室とモータ室とに仕切り、仕切り板付きファン装置に設けたモータをモータ室に配置すると共に仕切り板付きファン装置に設けたファンケーシング及びファンランナを送風捕捉室に配置してあるので、板金製の仕切り板に板金製のファンケーシングを突設することにより、仕切り板が板金製という薄肉のものでありながら板金製のファンケーシングにより補強できて、モータ重量に耐え得る剛性を確保できるものであり、この結果、軽量化、小型化が図れ、しかも、モータを本体ケースに取付ける部材が本体ケース内を送風捕捉室とモータ室とに仕切るための仕切り板を兼用することになり、部材の簡略化が図れ、オイルミスト捕捉装置において、送風経路の一部を構成する送風捕捉室とモータ室とを仕切る処に使用するに当たり、仕切り板を取付けるのみで仕切り板付きファン装置の組み込みができて組み込みが簡単となり、生産性が向上し、コストダウンが図れるものである。
【図面の簡単な説明】
【図１】本発明の仕切り板付きファン装置の一部破断した斜視図である。
【図２】同上の断面図である。
【図３】同上の仕切り板付きファン装置をオイルミスト捕捉装置に組み込んだ例を示す側面図である。
【図４】同上の仕切り板付きファン装置をオイルミスト捕捉装置に組み込んだ例を示す正面図である。
【図５】同上の仕切り板付きファン装置の他の実施形態の側面図である。
【図６】同上の仕切り板付きファン装置の更に他の実施形態の斜視図である。
【図７】同上の仕切り板付きファン装置をオイルミスト捕捉装置に組み込んだ例を示す側面図である。
【図８】同上の吸い込み口にガイドベーンを設けた例を示す作用説明図である。
【図９】同上の吸い込み口に旋回ガイドを設けた例を示し、（ａ）は正面から見た作用説明図であり、（ｂ）は平面から見た作用説明図である。
【図１０】（ａ）は同上の円筒状のフィルタの取付け例を示す断面図であり、（ｂ）は同上に用いる吸い込みベルマウスを示す斜視図である。
【図１１】従来例の仕切り板を示す斜視図である。
【符号の説明】
１  送風経路
２  モータ室
３  仕切り板
４  出力軸挿通孔
５  ファンケーシング
６  モータ取付け部
７  モータ
８  出力軸
９  ファンランナ
【図１】
0003575753.tif 000002
【図２】
0003575753.tif 000003
【図３】
0003575753.tif 000004
【図４】
0003575753.tif 000005
【図５】
0003575753.tif 000006
【図６】
0003575753.tif 000007
【図７】
0003575753.tif 000008
【図８】
0003575753.tif 000009
【図９】
0003575753.tif 000010
【図１０】
0003575753.tif 000011
【図１１】
0003575753.tif 000012